(57)【要約】  本開示の一態様に係るユーザ端末は、第１の送受信ポイント（Transmission/Reception  Point（ＴＲＰ））からの第１のＰＤＳＣＨ（Physical  Downlink  Shared  Channel）と、前記第１のＰＤＳＣＨと時間及び周波数リソースの少なくとも一方が重複する第２のＴＲＰからの第２のＰＤＳＣＨと、を受信する受信部と、前記第１のＰＤＳＣＨに対する第１のHybrid  Automatic  Repeat  reQuest  ACKnowledgement（ＨＡＲＱ−ＡＣＫ）及び前記第２のＰＤＳＣＨに対する第２のＨＡＲＱ−ＡＣＫの両方を、前記第１のＴＲＰ及び前記第２のＴＲＰのうち一方に送信する制御を行う制御部と、を有することを特徴とする。本開示の一態様によれば、マルチＴＲＰを用いる場合であってもＨＡＲＱ−ＡＣＫ制御を好適に実施できる。
2020166025.tif 000002
【特許請求の範囲】
【請求項１】
第１の送受信ポイント（Transmission/Reception  Point（ＴＲＰ））からの第１のＰＤＳＣＨ（Physical  Downlink  Shared  Channel）と、前記第１のＰＤＳＣＨと時間及び周波数リソースの少なくとも一方が重複する第２のＴＲＰからの第２のＰＤＳＣＨと、を受信する受信部と、
前記第１のＰＤＳＣＨに対する第１のHybrid  Automatic  Repeat  reQuest  ACKnowledgement（ＨＡＲＱ−ＡＣＫ）及び前記第２のＰＤＳＣＨに対する第２のＨＡＲＱ−ＡＣＫの両方を、前記第１のＴＲＰ及び前記第２のＴＲＰのうち一方に送信する制御を行う制御部と、を有することを特徴とするユーザ端末。
【請求項２】
前記制御部は、前記第１のＨＡＲＱ−ＡＣＫ及び前記第２のＨＡＲＱ−ＡＣＫを送信するＴＲＰが、前記第１のＴＲＰのＩＤ及び前記第２のＴＲＰのＩＤが小さい方のＴＲＰであると決定することを特徴とする請求項１に記載のユーザ端末。
【請求項３】
第１の送受信ポイント（Transmission/Reception  Point（ＴＲＰ））からの第１のＰＤＳＣＨ（Physical  Downlink  Shared  Channel）と、前記第１のＰＤＳＣＨと時間及び周波数リソースの少なくとも一方が重複する第２のＴＲＰからの第２のＰＤＳＣＨと、を受信するステップと、
前記第１のＰＤＳＣＨに対する第１のHybrid  Automatic  Repeat  reQuest  ACKnowledgement（ＨＡＲＱ−ＡＣＫ）及び前記第２のＰＤＳＣＨに対する第２のＨＡＲＱ−ＡＣＫの両方を、前記第１のＴＲＰ及び前記第２のＴＲＰのうち一方に送信する制御を行うステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（例えば、ＮＲ）では、１つ又は複数の送受信ポイント（Transmission/Reception  Point（ＴＲＰ））（マルチＴＲＰ）が、ユーザ端末（User  Equipment（ＵＥ））に対してＤＬ送信を行うことが検討されている。【０００６】
しかしながら、これまでのＮＲ仕様においては、マルチＴＲＰが考慮されていないため、マルチＴＲＰが用いられる場合のHybrid  Automatic  Repeat  reQuest  ACKnowledgement（ＨＡＲＱ−ＡＣＫ）フィードバックを適切に制御できない。したがって、現状のＮＲ仕様に従う場合には、マルチＴＲＰを用いる場合の空間ダイバーシチ利得、高ランク送信などが好適に実現できず、通信スループットの増大が抑制されるおそれがある。【０００７】
そこで、本開示は、マルチＴＲＰを用いる場合であってもＨＡＲＱ−ＡＣＫ制御を好適に実施できるユーザ端末及び無線通信方法を提供することを目的の１つとする。
【課題を解決するための手段】
【０００８】
本開示の一態様に係るユーザ端末は、第１の送受信ポイント（Transmission/Reception  Point（ＴＲＰ））からの第１のＰＤＳＣＨ（Physical  Downlink  Shared  Channel）と、前記第１のＰＤＳＣＨと時間及び周波数リソースの少なくとも一方が重複する第２のＴＲＰからの第２のＰＤＳＣＨと、を受信する受信部と、前記第１のＰＤＳＣＨに対する第１のHybrid  Automatic  Repeat  reQuest  ACKnowledgement（ＨＡＲＱ−ＡＣＫ）及び前記第２のＰＤＳＣＨに対する第２のＨＡＲＱ−ＡＣＫの両方を、前記第１のＴＲＰ及び前記第２のＴＲＰのうち一方に送信する制御を行う制御部と、を有することを特徴とする。
【発明の効果】
【０００９】
本開示の一態様によれば、マルチＴＲＰを用いる場合であってもＨＡＲＱ−ＡＣＫ制御を好適に実施できる。
【図面の簡単な説明】
【００１０】
【図１】図１Ａ−１Ｄは、マルチＴＲＰシナリオの一例を示す図である。
【図２】図２は、セパレートＨＡＲＱ−ＡＣＫの流れの一例を示す図である。
【図３】図３Ａ及び３Ｂは、セパレートＨＡＲＱ−ＡＣＫの送信タイミングの一例を示す図である。
【図４】図４は、ＰＵＣＣＨリソースセットの複数のグループが設定される一例を示す図である。
【図５】図５は、ＴＲＰ共通のＰＵＣＣＨリソースセットのグループが設定される一例を示す図である。
【図６】図６は、ＰＵＣＣＨリソースセットの複数のグループが設定される一例を示す図である。
【図７】図７は、ＰＵＣＣＨリソースセットの複数のグループが設定される一例を示す図である。
【図８】図８は、ＰＵＣＣＨリソースセットの複数のグループが設定される一例を示す図である。
【図９】図９は、ＴＲＰ共通のＰＵＣＣＨリソースセットのグループが設定される一例を示す図である。
【図１０】図１０は、ジョイントＨＡＲＱ−ＡＣＫの流れの一例を示す図である。
【図１１】図１１は、シングルＰＤＣＣＨについてのジョイントＨＡＲＱ−ＡＣＫのＰＵＣＣＨリソースの一例を示す図である。
【図１２】図１２は、マルチＰＤＣＣＨについてのジョイントＨＡＲＱ−ＡＣＫのＰＵＣＣＨリソースの一例を示す図である。
【図１３】図１３は、マルチＰＤＣＣＨについてのジョイントＨＡＲＱ−ＡＣＫのＰＵＣＣＨリソースの一例を示す図である。
【図１４】図１４Ａ及び１４Ｂは、準静的なＨＡＲＱコードブックの一例を示す図である。
【図１５】図１５Ａ−１５Ｄは、ＰＵＣＣＨリソースに基づくＨＡＲＱ−ＡＣＫ送信のタイプの決定の一例を示す図である。
【図１６】図１６は、一実施形態に係る無線通信システムの概略構成の一例を示す図である。
【図１７】図１７は、一実施形態に係る基地局の構成の一例を示す図である。
【図１８】図１８は、一実施形態に係るユーザ端末の構成の一例を示す図である。
【図１９】図１９は、一実施形態に係る基地局及びユーザ端末のハードウェア構成の一例を示す図である。
【発明を実施するための形態】
【００１１】
（マルチＴＲＰ）
ＮＲでは、１つ又は複数の送受信ポイント（Transmission/Reception  Point（ＴＲＰ））（マルチＴＲＰ）が、１つ又は複数のパネル（マルチパネル）を用いて、ＵＥに対してＤＬ送信（例えば、ＰＤＳＣＨ送信）を行うことが検討されている。
【００１２】
図１Ａ−１Ｄは、マルチＴＲＰシナリオの一例を示す図である。これらの例において、各ＴＲＰは４つの異なるビームを送信可能であると想定するが、これに限られない。
【００１３】
図１Ａは、マルチＴＲＰのうち１つのＴＲＰ（本例ではＴＲＰ１）のみがＵＥに対して送信を行うケース（シングルモードと呼ばれてもよい）の一例を示す。この場合、ＴＲＰ１は、ＵＥに制御信号（ＰＤＣＣＨ）及びデータ信号（ＰＤＳＣＨ）の両方を送信する。
【００１４】
図１Ｂは、マルチＴＲＰのうち１つのＴＲＰ（本例ではＴＲＰ１）のみがＵＥに対して制御信号を送信し、当該マルチＴＲＰがデータ信号を送信するケース（シングルマスタモードと呼ばれてもよい）の一例を示す。ＵＥは、１つの下り制御情報（Downlink  Control  Information（ＤＣＩ））に基づいて、当該マルチＴＲＰから送信される各ＰＤＳＣＨを受信する。
【００１５】
図１Ｃは、マルチＴＲＰのそれぞれがＵＥに対して制御信号の一部を送信し、当該マルチＴＲＰがデータ信号を送信するケース（マスタスレーブモードと呼ばれてもよい）の一例を示す。ＴＲＰ１では制御信号（ＤＣＩ）のパート１が送信され、ＴＲＰ２では制御信号（ＤＣＩ）のパート２が送信されてもよい。制御信号のパート２はパート１に依存してもよい。ＵＥは、これらのＤＣＩのパートに基づいて、当該マルチＴＲＰから送信される各ＰＤＳＣＨを受信する。
【００１６】
図１Ｄは、マルチＴＲＰのそれぞれがＵＥに対して別々の制御信号を送信し、当該マルチＴＲＰがデータ信号を送信するケース（マルチマスタモードと呼ばれてもよい）の一例を示す。ＴＲＰ１では第１の制御信号（ＤＣＩ）が送信され、ＴＲＰ２では第２の制御信号（ＤＣＩ）が送信されてもよい。ＵＥは、これらのＤＣＩに基づいて、当該マルチＴＲＰから送信される各ＰＤＳＣＨを受信する。
【００１７】
図１ＢのようなマルチＴＲＰからの複数のＰＤＳＣＨを、１つのＤＣＩを用いてスケジュールする場合、当該ＤＣＩは、シングルＤＣＩ（シングルＰＤＣＣＨ）と呼ばれてもよい。また、図１ＤのようなマルチＴＲＰからの複数のＰＤＳＣＨを、複数のＤＣＩを用いてそれぞれスケジュールする場合、これらの複数のＤＣＩは、マルチＤＣＩ（マルチＰＤＣＣＨ）と呼ばれてもよい。
【００１８】
このようなマルチＴＲＰシナリオによれば、品質の良いチャネルを用いたより柔軟な送信制御が可能である。
【００１９】
マルチＴＲＰの各ＴＲＰからは、それぞれ異なるコードワード（Code  Word（ＣＷ））及び異なるレイヤが送信されてもよい。マルチＴＲＰ送信の一形態として、ノンコヒーレントジョイント送信（Non-Coherent  Joint  Transmission（ＮＣＪＴ））が検討されている。
【００２０】
ＮＣＪＴにおいて、例えば、ＴＲＰ１は、第１のコードワードを変調マッピングし、レイヤマッピングして第１の数のレイヤ（例えば２レイヤ）を第１のプリコーディングを用いて第１のＰＤＳＣＨを送信する。また、ＴＲＰ２は、第２のコードワードを変調マッピングし、レイヤマッピングして第２の数のレイヤ（例えば２レイヤ）を第２のプリコーディングを用いて第２のＰＤＳＣＨを送信する。これらの第１のＰＤＳＣＨ及び第２のＰＤＳＣＨは、疑似コロケーション（ＱＣＬ：Quasi-Co-Location）関係にない（not  quasi-co-located）と想定されてもよい。
【００２１】
なお、ＮＣＪＴされる複数のＰＤＳＣＨは、時間及び周波数ドメインの少なくとも一方に関して部分的に又は完全に重複すると定義されてもよい。
【００２２】
ところで、これまでのＮＲ仕様においては、マルチＴＲＰが考慮されていないため、マルチＴＲＰが用いられる場合のHybrid  Automatic  Repeat  reQuest  ACKnowledgement（ＨＡＲＱ−ＡＣＫ）フィードバックを適切に制御できない。したがって、現状のＮＲ仕様に従う場合には、マルチＴＲＰを用いる場合の空間ダイバーシチ利得、高ランク送信などが好適に実現できず、通信スループットの増大が抑制されるおそれがある。
【００２３】
そこで、本発明者らは、マルチＴＲＰを用いる場合に対応できるＨＡＲＱ−ＡＣＫ制御を着想した。
【００２４】
本開示は、例えば、シングルＰＤＣＣＨ及びマルチＰＤＣＣＨの少なくとも一方について、当該ＰＤＣＣＨによってスケジュールされるマルチＰＤＳＣＨ（例えば、ＮＣＪＴされる複数のＰＤＳＣＨ）に対するＨＡＲＱ−ＡＣＫを送信するための上り制御チャネル（Physical  Uplink  Control  Channel（ＰＵＣＣＨ））／上り共有チャネル（Physical  Uplink  Shared  Channel（ＰＵＳＣＨ））リソースの決定方法を提供する。なお、ＰＵＣＣＨ／ＰＵＳＣＨは、ＰＵＣＣＨ及びＰＵＳＣＨの少なくとも一方を意味してもよい（以下同様）。
【００２５】
一実施形態では、ＴＲＰごとにＨＡＲＱ−ＡＣＫを異なるＰＵＣＣＨ／ＰＵＳＣＨリソースで送信することを提案する。このようなＨＡＲＱ−ＡＣＫフィードバックの送信形態は、セパレート（separate）ＨＡＲＱ−ＡＣＫフィードバック（送信）、個別ＨＡＲＱ−ＡＣＫフィードバックなどと呼ばれてもよい。
【００２６】
セパレートＨＡＲＱ−ＡＣＫを用いると、ＴＲＰごとに独立したＨＡＲＱ−ＡＣＫ送信が可能である。ＴＲＰ間のバックホール遅延が大きい（例えば、ＴＲＰ間が非理想的バックホール（non  ideal  backhaul）で接続される）場合でも、ＨＡＲＱの遅延が大きくならない。
【００２７】
一実施形態では、各ＴＲＰのＨＡＲＱ−ＡＣＫを同じＰＵＣＣＨ／ＰＵＳＣＨリソースで送信することを提案する。このようなＨＡＲＱ−ＡＣＫフィードバックの送信形態は、ジョイント（joint）ＨＡＲＱ−ＡＣＫフィードバック（送信）、共同ＨＡＲＱ−ＡＣＫフィードバックなどと呼ばれてもよい。
【００２８】
ジョイントＨＡＲＱ−ＡＣＫを用いると、１つのＰＵＣＣＨ／ＰＵＳＣＨ送信で足りるのでリソースオーバヘッドが少なくできる。また、ＴＲＰ間のバックホール遅延が小さい（例えば、ＴＲＰ間が理想的バックホール（ideal  backhaul）で接続される）場合には、一方のＴＲＰに送ったＨＡＲＱ−ＡＣＫを、低遅延で他方のＴＲＰに届けることができる。
【００２９】
以下、本開示に係る実施形態について、図面を参照して詳細に説明する。各実施形態に係る無線通信方法は、それぞれ単独で適用されてもよいし、組み合わせて適用されてもよい。
【００３０】
なお、本開示において、パネル、Uplink（ＵＬ）送信エンティティ、ＴＲＰ、復調用参照信号（DeModulation  Reference  Signal（ＤＭＲＳ））ポート、ＤＭＲＳポートグループ、符号分割多重（Code  Division  Multiplexing（ＣＤＭ））グループ、ＰＤＳＣＨ、コードワード、基地局などは、互いに読み替えられてもよい。また、パネルIdentifier（ＩＤ）とパネルは互いに読み替えられてもよい。ＴＲＰ  ＩＤとＴＲＰは互いに読み替えられてもよい。また、ＩＤとインデックスは互いに読み替えられてもよい。
【００３１】
また、以下の実施形態のＨＡＲＱ−ＡＣＫは、上り制御情報（Uplink  Control  Information（ＵＣＩ））で読み替えられてもよい。つまり、ＨＡＲＱ−ＡＣＫは、ＨＡＲＱ−ＡＣＫ、チャネル状態情報（Channel  State  Information（ＣＳＩ））、スケジューリングリクエスト（Scheduling  Request（ＳＲ））などのいずれか又はこれらの組み合わせと互いに読み替えられてもよい。
【００３２】
また、本開示において、ＮＣＪＴ、マルチＴＲＰを用いたＮＣＪＴ、ＮＣＪＴを用いたマルチＰＤＳＣＨ、マルチＰＤＳＣＨ、マルチＴＲＰからの複数のＰＤＳＣＨなどは、互いに読み替えられてもよい。
【００３３】
（無線通信方法）
＜第１の実施形態＞
第１の実施形態は、セパレートＨＡＲＱ−ＡＣＫ送信に関する。セパレートＨＡＲＱ−ＡＣＫに対応する各ＨＡＲＱ−ＡＣＫは、それぞれ別のＰＤＳＣＨ（ＣＷ）に対応し、ＰＵＣＣＨ及びＰＵＳＣＨの少なくとも一方を用いて送信されてもよい。ＵＥは、セパレートＨＡＲＱ−ＡＣＫを、それぞれ別のＴＲＰに送信する。
【００３４】
セパレートＨＡＲＱ−ＡＣＫに対応する複数のＰＤＳＣＨ（マルチＰＤＳＣＨ）は、各ＴＲＰから同時に送信されてもよいし、異なるタイミングで送信されてもよい。これらのＰＤＳＣＨをスケジュールするのはシングルＰＤＣＣＨであってもよいし、マルチＰＤＣＣＨであってもよい。
【００３５】
図２は、セパレートＨＡＲＱ−ＡＣＫの流れの一例を示す図である。本例において、ＵＥは、ＴＲＰ１及び２からそれぞれマルチＰＤＣＣＨを構成するＤＣＩ１及び２を受信する。また、ＵＥは、ＤＣＩ１に基づいて、ＴＲＰ１から送信されるＰＤＳＣＨ１（ＣＷ１）を受信し、ＤＣＩ２に基づいて、ＴＲＰ２から送信されるＰＤＳＣＨ２（ＣＷ２）を受信する。
【００３６】
ＵＥは、ＰＤＳＣＨ１に対するＨＡＲＱ−ＡＣＫ１（ＨＡＲＱ１。以下、ＨＡＲＱ−ＡＣＫを単にＨＡＲＱと表記する場合がある）をＴＲＰ１に送信し、ＰＤＳＣＨ２に対するＨＡＲＱ−ＡＣＫ２（ＨＡＲＱ２）をＴＲＰ２に送信する。
【００３７】
なお、ＤＣＩを送信するＴＲＰ、当該ＤＣＩによってスケジュールされるＰＤＳＣＨを送信するＴＲＰ及び当該ＰＤＳＣＨに対するＨＡＲＱ−ＡＣＫを受けるＴＲＰは、本例では同じとして説明しているが、これらの少なくとも１つが異なるＴＲＰに該当してもよい。以降の例でも同様である。
【００３８】
図３Ａ及び３Ｂは、セパレートＨＡＲＱ−ＡＣＫの送信タイミングの一例を示す図である。セパレートＨＡＲＱ−ＡＣＫは、それぞれ別のスロットにおいて（つまり、スロットごとに１つのＰＵＣＣＨ／ＰＵＳＣＨを用いて）送信されてもよいし（図３Ａ）、１つのスロットにおいて（つまり、スロットごとに複数のＰＵＣＣＨ／ＰＵＳＣＨを用いて）送信されてもよい（図３Ｂ）。
【００３９】
図３Ａでは、セパレートＨＡＲＱ−ＡＣＫを構成するＨＡＲＱ１及びＨＡＲＱ２が、それぞれ異なるスロット＃ｍ及び＃ｍ＋１においてＵＥによって送信される。同様のＨＡＲＱ１及びＨＡＲＱ２が、同じスロット＃ｍにおいてＵＥによって送信される。なお、セパレートＨＡＲＱ−ＡＣＫを異なるスロットにおいて送信する場合、これらのスロットは連続していなくてもよい。
【００４０】
［スロットごとに１つのＰＵＣＣＨ／ＰＵＳＣＨ］
ＵＥは、セパレートＨＡＲＱ−ＡＣＫをスロットごとに１つのＰＵＣＣＨ／ＰＵＳＣＨを用いて送信することを、上位レイヤシグナリング、物理レイヤシグナリング（例えば、マルチＰＤＳＣＨの少なくとも１つをスケジュールするＤＣＩ）又はこれらの組み合わせを用いて通知（設定、指示）されてもよい。
【００４１】
なお、本開示において、上位レイヤシグナリングは、例えば、Radio  Resource  Control（ＲＲＣ）シグナリング、Medium  Access  Control（ＭＡＣ）シグナリング、ブロードキャスト情報などのいずれか、又はこれらの組み合わせであってもよい。
【００４２】
ＭＡＣシグナリングは、例えば、ＭＡＣ制御要素（MAC  Control  Element（ＭＡＣ  ＣＥ））、ＭＡＣ  Protocol  Data  Unit（ＰＤＵ）などを用いてもよい。ブロードキャスト情報は、例えば、マスタ情報ブロック（Master  Information  Block（ＭＩＢ））、システム情報ブロック（System  Information  Block（ＳＩＢ））、最低限のシステム情報（Remaining  Minimum  System  Information（ＲＭＳＩ））、その他のシステム情報（Other  System  Information（ＯＳＩ））などであってもよい。
【００４３】
物理レイヤシグナリングは、例えば、ＤＣＩであってもよい。
【００４４】
ＵＥは、セパレートＨＡＲＱ−ＡＣＫをスロットごとに１つのＰＵＣＣＨ／ＰＵＳＣＨを用いて送信する場合、Ｒｅｌ−１５  ＮＲに従うＰＵＣＣＨ／ＰＵＳＣＨリソースを用いて各ＨＡＲＱ−ＡＣＫを送信してもよい。
【００４５】
Ｒｅｌ−１５  ＮＲでは、ＵＥは、送信するＵＣＩのサイズに応じて、まず４つのＰＵＣＣＨリソースセット（ＰＵＣＣＨリソースセット１から４）から１つを決定する。当該ＵＣＩがＨＡＲＱ−ＡＣＫを含む場合、当該ＨＡＲＱ−ＡＣＫの送信タイミングを指定するＤＣＩフォーマット１＿０又は１＿１が含むＰＵＣＣＨリソースインディケーターフィールド（及び当該ＤＣＩを受信したＣＯＲＥＳＥＴのControl  Channel  Element（ＣＣＥ）インデックス、ＣＣＥ数などの少なくとも１つ）に基づいて、ＵＥは当該ＵＣＩを送信するためのＰＵＣＣＨリソースを特定する。
【００４６】
なお、同じスロットのＨＡＲＱ−ＡＣＫの送信タイミングを指定するＤＣＩフォーマット１＿０又は１＿１が複数ある場合には、これらのＤＣＩのうち最後の（last）ＤＣＩフォーマット１＿０又は１＿１のＰＵＣＣＨリソースインディケーターフィールドに基づいて、ＵＥはＰＵＣＣＨリソースを特定してもよい。なお、ここでいう「最後のＤＣＩフォーマット１＿０又は１＿１」は、同じＰＤＣＣＨモニタリング機会（occasion）においてサービングセルインデックスの昇順にインデックスを付け、次にＰＤＣＣＨモニタリング機会インデックスの昇順にインデックスを付けた最後のＤＣＩフォーマット１＿０又は１＿１のことを意味してもよいし、時間的に最も後に受信したＤＣＩフォーマット１＿０又は１＿１のことを意味してもよい。
【００４７】
ネットワークは、ＵＥがセパレートＨＡＲＱ−ＡＣＫをスロットごとに１つのＰＵＣＣＨ／ＰＵＳＣＨを用いて送信するように、制限してもよい。例えば、ＮＣＪＴ用のマルチＴＲＰ又はマルチパネルのための複数のＣＷ（ＰＤＳＣＨ）に対するＨＡＲＱ−ＡＣＫ送信に関して、ＵＥは、複数のＣＷが同じスロットインデックスに設定されることを期待しなくてもよい。
【００４８】
ＵＥは、セパレートＨＡＲＱ−ＡＣＫをスロットごとに１つのＰＵＣＣＨ／ＰＵＳＣＨを用いて送信することを設定された場合であって、ＮＣＪＴ用のマルチＴＲＰのための複数のＣＷ（ＰＤＳＣＨ）に対する１つより多いＨＡＲＱ−ＡＣＫを１つのスロット内で送信するように設定された場合は、以下のいずれかのＨＡＲＱ−ＡＣＫを送信する（又はドロップする）ように決定してもよい：
（１）特定の値（例えば、最小、最大）のＴＲＰ  ＩＤに該当するＨＡＲＱ−ＡＣＫ、
（２）シングルポート送信と同じＴＲＰ  ＩＤに該当するＨＡＲＱ−ＡＣＫ、
（３）ＱＣＬ想定（又は対応するＰＤＳＣＨのＱＣＬ想定）が、ＰＤＣＣＨの特定のＱＣＬ想定と同じＨＡＲＱ−ＡＣＫ。
【００４９】
ここで、上記（３）のＰＤＣＣＨの特定のＱＣＬ想定は、ＰＤＣＣＨのデフォルトのＱＣＬ想定であってもよく、例えば最小のＣＯＲＥＳＥＴ−ＩＤの最新のスロットのサーチスペース（又はサーチスペースセット）のＱＣＬ想定であってもよい。
【００５０】
［スロットごとに複数のＰＵＣＣＨ／ＰＵＳＣＨ］
ＵＥは、セパレートＨＡＲＱ−ＡＣＫをスロットごとに複数のＰＵＣＣＨ／ＰＵＳＣＨを用いて送信することを、上位レイヤシグナリング、物理レイヤシグナリング（例えば、マルチＰＤＳＣＨの少なくとも１つをスケジュールするＤＣＩ）又はこれらの組み合わせを用いて通知（設定、指示）されてもよい。
【００５１】
ＵＥは、ＴＲＰごとのＰＵＣＣＨリソースセットを、例えば上位レイヤシグナリングを用いて設定されてもよい。この構成によれば、柔軟なリソースの利用が可能になる。
【００５２】
１つのＴＲＰのための１つ以上のＰＵＣＣＨリソースセットは、当該ＴＲＰのためのＰＵＣＣＨリソースセットのグループと呼ばれてもよい。当該グループは、例えば、ＴＲＰ  ＩＤ（又はグループＩＤ）及びＰＵＣＣＨリソースセットＩＤなどを用いてＵＥに設定されてもよい。
【００５３】
図４は、ＰＵＣＣＨリソースセットの複数のグループが設定される一例を示す図である。本例では、ＵＥは、ＰＵＣＣＨリソースセット１、２、…、から構成されるＰＵＣＣＨリソースセットのグループを、ＴＲＰごとに設定される。なお、ＰＵＣＣＨリソースセットの最大数は、従来と同様の４であってもよいし、４とは異なる値であってもよい。
【００５４】
なお、本開示において、ＰＵＣＣＨリソースセットｉは、ＵＣＩビットのサイズが大きいほどより大きなｉが用いられるように規定されてもよいが、これに限られない。また、１つのＰＵＣＣＨリソースセットに含まれるＰＵＣＣＨリソースの数が８である例を示すが、これに限られない。
【００５５】
また、以降の例では、ＨＡＲＱ−ＡＣＫ送信が所定のＰＵＣＣＨリソースセット２のＰＵＣＣＨリソースを用いて送信される（つまり、ＵＣＩのサイズに基づいてＰＵＣＣＨリソースセット２が選択された）例を示すが、これに限られない。
【００５６】
図４の右上に示すように、ＴＲＰ１のＰＵＣＣＨリソースセット１では、ＤＣＩ＝０００から１１１に対応して、ＰＵＣＣＨリソース１−１から１−８が設定されている。ＴＲＰ１のＰＵＣＣＨリソースセット２では、ＤＣＩ（より例えば、ＰＵＣＣＨリソースインディケーターフィールド。以下の同様の図面において同じ）＝０００から１１１に対応して、ＰＵＣＣＨリソース１−１１から１−１８が設定されている。
【００５７】
図４の右下に示すように、ＴＲＰ２のＰＵＣＣＨリソースセット１では、ＤＣＩ＝０００から１１１に対応して、ＰＵＣＣＨリソース２−１から２−８が設定されている。ＴＲＰ２のＰＵＣＣＨリソースセット２では、ＤＣＩ＝０００から１１１に対応して、ＰＵＣＣＨリソース２−１１から２−１８が設定されている。
【００５８】
図４の左上に示すように、ＵＥは、ＴＲＰ１（ＤＭＲＳポートグループ１）のＰＤＳＣＨ１を指示するＤＣＩ１を受信し、当該ＰＤＳＣＨ１に対応するＨＡＲＱ１を送信する。ここで、ＨＡＲＱ１のためのＰＵＣＣＨリソースは、ＤＣＩ１の所定のフィールド（例えば、ＰＵＣＣＨリソースインディケーターフィールド）によって指定されてもよい。例えば、ＤＣＩ１の当該所定のフィールドが０００であった場合、図４の右上のテーブルに基づいて、ＵＥは、リソース１−１１を用いてＨＡＲＱ１を送信してもよい。以下、ＤＣＩの所定のフィールドは、ＰＵＣＣＨリソースインディケーターフィールドで読み替えられてもよい。
【００５９】
図４の左下に示すように、ＵＥは、ＴＲＰ２（ＤＭＲＳポートグループ２）のＰＤＳＣＨ２を指示するＤＣＩ２を受信し、当該ＰＤＳＣＨ２に対応するＨＡＲＱ２を送信する。ここで、ＨＡＲＱ２のためのＰＵＣＣＨリソースは、ＤＣＩ２の所定のフィールド（例えば、ＰＵＣＣＨリソースインディケーターフィールド）によって指定されてもよい。例えば、ＤＣＩ２の当該所定のフィールドが０００であった場合、図４の右下のテーブルに基づいて、ＵＥは、リソース２−１１を用いてＨＡＲＱ２を送信してもよい。
【００６０】
ＵＥは、ＴＲＰ共通のＰＵＣＣＨリソースセット（ＴＲＰに依存しないＰＵＣＣＨリソースセットと呼ばれてもよい）のグループを設定されてもよい。この構成によれば、ＰＵＣＣＨリソースセットの設定のための情報量の増大を抑制できる。なお、ＴＲＰ共通のＰＵＣＣＨリソースセットのグループは、Ｒｅｌ−１５  ＮＲにおいて規定されるＰＵＣＣＨリソースセット１−４に該当してもよい。
【００６１】
図５は、ＴＲＰ共通のＰＵＣＣＨリソースセットのグループが設定される一例を示す図である。本例では、ＵＥは、ＰＵＣＣＨリソースセット１、２、…、から構成されるＰＵＣＣＨリソースセットのグループを、ＴＲＰ共通に（ＴＲＰを区別せずに）設定される。
【００６２】
図５の右に示すように、ＰＵＣＣＨリソースセット１では、ＤＣＩ＝０００から１１１に対応して、ＰＵＣＣＨリソース１から８が設定されている。ＰＵＣＣＨリソースセット２では、ＤＣＩ＝０００から１１１に対応して、ＰＵＣＣＨリソース１１から１８が設定されている。
【００６３】
図５の左上に示すように、ＵＥは、ＴＲＰ１（ＤＭＲＳポートグループ１）のＰＤＳＣＨを指示するＤＣＩ１を受信し、当該ＰＤＳＣＨに対応するＨＡＲＱ１を送信する。ここで、ＨＡＲＱ１のためのＰＵＣＣＨリソースは、ＤＣＩ１の所定のフィールド（例えば、ＰＵＣＣＨリソースインディケーターフィールド）によって指定されてもよい。例えば、ＤＣＩ１の当該所定のフィールドが０００であった場合、図５の右のテーブルに基づいて、ＵＥは、リソース１１を用いてＨＡＲＱ１を送信してもよい。
【００６４】
図５の左下に示すように、ＵＥは、ＴＲＰ２（ＤＭＲＳポートグループ２）のＰＤＳＣＨを指示するＤＣＩ２を受信し、当該ＰＤＳＣＨに対応するＨＡＲＱ２を送信する。ここで、ＨＡＲＱ２のためのＰＵＣＣＨリソースは、ＤＣＩ２の所定のフィールド（例えば、ＰＵＣＣＨリソースインディケーターフィールド）によって指定されてもよい。例えば、ＤＣＩ２の当該所定のフィールドが０１０であった場合、図５の右のテーブルに基づいて、ＵＥは、リソース１３を用いてＨＡＲＱ２を送信してもよい。
【００６５】
なお、あるＴＲＰにおいて複数のＤＣＩを受信する場合、上述のＲｅｌ−１５  ＮＲと同じ方法で（例えば、当該ＴＲＰにおける最後の（last）ＤＣＩを選択して）、当該ＴＲＰのＰＵＣＣＨリソースを決定してもよい。
【００６６】
［スロットごとに複数のＰＵＣＣＨ／ＰＵＳＣＨの変形例］
マルチＴＲＰ送信（ＮＣＪＴ）が設定される場合であっても、瞬間的にシングルＴＲＰ送信に対応するＰＤＳＣＨを受信するＵＥは、Ｒｅｌ．１５  ＮＲのＰＵＣＣＨリソース決定ルールに基づくＰＵＣＣＨリソースを用いて、当該ＰＤＳＣＨに対応するＨＡＲＱ−ＡＣＫを送信してもよい。
【００６７】
例えば、ＵＥが、時間及び周波数ドメインの少なくとも一方に関して部分的に又は完全に重複する複数のＰＤＳＣＨを、１つより多いＤＣＩによってスケジュールされる場合であって、以下の条件の少なくとも１つを満たす場合には、当該複数のＰＤＳＣＨに対応するＨＡＲＱ−ＡＣＫのためのＰＵＣＣＨリソースを、Ｒｅｌ．１５と同様に決定してもよい：
・当該複数のＰＤＳＣＨについて１つのＤＭＲＳポートグループのみが指示される、
・当該複数のＰＤＳＣＨのためのTransmission  Configuration  Indication  state（ＴＣＩ状態）が同じ、又は当該複数のＰＤＳＣＨが特定のＱＣＬ関係（例えば、ＱＣＬタイプＤ（ＱＣＬ−Ｄ））に該当する。
【００６８】
なお、この場合実質的にセパレートＨＡＲＱ−ＡＣＫ送信ではなくなる。ＵＥは、送信される１つのＰＵＣＣＨ／ＰＵＳＣＨにおいて、各ＴＲＰの複数のＰＤＳＣＨに対するＨＡＲＱ−ＡＣＫを含めてもよい。
【００６９】
図６は、ＰＵＣＣＨリソースセットの複数のグループが設定される一例を示す図である。本例は、図４と類似しており、同様の内容の説明は繰り返さない。本例では、ＰＤＳＣＨ１及び２のＴＣＩ状態が同じであり、これらは実質的にシングルＴＲＰから送信されているとＵＥは想定してもよい。
【００７０】
この場合、上述のＲｅｌ−１５  ＮＲと同じ方法で（例えば、ＤＣＩ１及び２のうち最後の（last）ＤＣＩを選択して）、ＰＵＣＣＨリソースを決定してもよい。本例では、ＵＥは、ＰＵＣＣＨリソースを決定するためのＤＣＩとしてＤＣＩ２を選択し、ＤＣＩ２の所定のフィールド（＝０００）及び図６の右下のテーブル（ＴＲＰ２に対応するテーブル）に基づいて、リソース２−１１を用いてＨＡＲＱ２（及びＨＡＲＱ１）を送信してもよい。
【００７１】
なお、上記条件の少なくとも１つを満たす場合には、当該複数のＰＤＳＣＨに対応するＨＡＲＱ−ＡＣＫのためのＰＵＣＣＨリソースを、設定されるＰＵＣＣＨリソースセットのグループのうち、グループＩＤ（又はＴＲＰ  ＩＤ）が最小のグループに基づいて決定してもよい。
【００７２】
図７は、ＰＵＣＣＨリソースセットの複数のグループが設定される一例を示す図である。本例は、図６と類似しており、同様の内容の説明は繰り返さない。本例において、ＰＵＣＣＨリソースを決定するためのＤＣＩとしてＤＣＩ２が選択される点は図６と同じである。ＰＵＣＣＨリソースを最小のグループＩＤに対応するＴＲＰ１のリソースから決定する点が図６と異なる。ＵＥは、ＤＣＩ２の所定のフィールド（＝０００）及び図７の右上のテーブル（ＴＲＰ１に対応するテーブル）に基づいて、リソース１−１１を用いてＨＡＲＱ１（及びＨＡＲＱ２）を送信してもよい。
【００７３】
ＵＥは、Ｒｅｌ．１５のＰＵＣＣＨリソースセットのグループ（ＴＲＰに関連付けられていないＰＵＣＣＨリソースセットのグループ）に加えて、ＴＲＰごとのＰＵＣＣＨリソースセットのグループを設定されてもよい。この場合、ＵＥは、ＮＣＪＴの複数のＰＤＳＣＨに対するセパレートＨＡＲＱ−ＡＣＫを送信するＰＵＣＣＨリソースを、ＴＲＰごとのＰＵＣＣＨリソースセットのグループに基づいて決定してもよい。
【００７４】
一方、ＵＥは、ＮＣＪＴでない複数のＰＤＳＣＨに対するＨＡＲＱ−ＡＣＫを送信するＰＵＣＣＨリソースを、ＴＲＰに関連付けられていないＰＵＣＣＨリソースセットのグループに基づいて決定してもよい。
【００７５】
図８は、ＰＵＣＣＨリソースセットの複数のグループが設定される一例を示す図である。本例は、図７と類似しており、同様の内容の説明は繰り返さない。本例においては、ＴＲＰ１／２用のＰＵＣＣＨリソースセットのグループだけでなく、ＴＲＰ共通のＰＵＣＣＨリソースセット（シングルＴＲＰ用のＰＵＣＣＨリソースセットと呼ばれてもよい）のグループがＵＥに設定されている点が図７と異なる。ＵＥは、ＤＣＩ２の所定のフィールド（＝０００）及び図７の右上のテーブル（シングルＴＲＰに対応するテーブル）に基づいて、リソース０−１１を用いてＨＡＲＱ１（及びＨＡＲＱ２）を送信してもよい。
【００７６】
一方、ＵＥは、ＮＣＪＴでない複数のＰＤＳＣＨに対するＨＡＲＱ−ＡＣＫを送信するＰＵＣＣＨリソースを、ＴＲＰに関連付けられていないＰＵＣＣＨリソースセットのグループに基づいて決定してもよい。
【００７７】
図９は、ＴＲＰ共通のＰＵＣＣＨリソースセットのグループが設定される一例を示す図である。本例は、図５と類似しており、同様の内容の説明は繰り返さない。本例では、ＰＤＳＣＨ１及び２のＴＣＩ状態が同じであり、これらは実質的にシングルＴＲＰから送信されているとＵＥは想定してもよい。
【００７８】
この場合、上述のＲｅｌ−１５  ＮＲと同じ方法で（例えば、ＤＣＩ１及び２のうち最後の（last）ＤＣＩを選択して）、ＰＵＣＣＨリソースを決定してもよい。本例では、ＵＥは、ＰＵＣＣＨリソースを決定するためのＤＣＩとしてＤＣＩ２を選択し、ＤＣＩ２の所定のフィールド（＝０１０）及び図９の右のテーブル（ＴＲＰ共通のテーブル）に基づいて、リソース１３を用いてＨＡＲＱ１（及びＨＡＲＱ２）を送信してもよい。
【００７９】
［空間関係情報］
ＵＥは、ＰＵＣＣＨ設定（PUCCH-Config）単位で空間関係情報（Spatial  Relation  Information（ＳＲＩ））を設定されてもよい。ＰＵＣＣＨ設定によって設定される空間関係情報は、当該ＰＵＣＣＨ設定によって設定される全てのＰＵＣＣＨリソースに適用されてもよい。
【００８０】
スロットごとに１つのＰＵＣＣＨ／ＰＵＳＣＨを送信する場合、ＵＥは、各ＰＵＣＣＨ／ＰＵＳＣＨについて、Ｒｅｌ−１５  ＮＲと同様にＳＲＩを判断してもよい。例えば、図３Ａのようなケースでは、ＵＥは、スロット＃ｍのＨＡＲＱ１を送信するＰＵＣＣＨは同期信号ブロック（Synchronization  Signal  Block（ＳＳＢ））＃０とＱＣＬであり、スロット＃ｍ＋１のＨＡＲＱ２を送信するＰＵＣＣＨはＳＳＢ＃１０とＱＣＬである、などと想定してもよい。
【００８１】
スロットごとに複数のＰＵＣＣＨ／ＰＵＳＣＨを送信する場合を考慮して、ＵＥは、複数のＰＵＣＣＨの空間関係情報を、１つ又は複数のＭＡＣ制御要素（MAC  Control  Element（ＭＡＣ  ＣＥ））（例えば、ＰＵＣＣＨ空間関係アクティベーション／ディアクティベーションＭＡＣ  ＣＥ（PUCCH  spatial  relation  Activation/Deactivation  MAC  CE））を用いてアクティベートされてもよい。
【００８２】
ＵＥは、アクティベートされたＰＵＣＣＨの空間関係情報が、昇順又は降順にＤＭＲＳポートグループに対応すると想定してもよい。つまり、アクティベートされたＰＵＣＣＨの空間関係情報と、ＤＭＲＳポートグループと、をそれぞれ昇順又は降順に並べたときに、小さい方から１対１に対応すると想定してもよい。
【００８３】
ＵＥは、アクティブな最小のＰＵＣＣＨのＳＲＩ  ＩＤ（ＲＲＣの「PUCCH-SpatialRelationInfoId」）が、最小のＤＭＲＳポートグループＩＤに対応すると想定してもよい。例えば、ＰＵＣＣＨのＳＲＩ  ＩＤ＝３及び５の２つがアクティベートされている場合、ＵＥは、ＤＭＲＳポートグループ１についてはＰＵＣＣＨのＳＲＩ  ＩＤ＝３に基づいてＱＣＬを想定してもよく、ＤＭＲＳポートグループ２についてはＰＵＣＣＨのＳＲＩ  ＩＤ＝５に基づいてＱＣＬを想定してもよい。
【００８４】
なお、シングルＴＲＰ（１ＴＲＰ）への動的なフォールバックの条件が満たされる場合には、ＵＥは、当該１ＴＲＰのＱＣＬについては、特定のＳＲＩ  ＩＤ（例えば、最小のアクティブなＳＲＩ  ＩＤ、最大のアクティブなＳＲＩ  ＩＤ）を想定してもよい。
【００８５】
ここで、本開示において、１ＴＲＰへの動的なフォールバックの条件は、例えば、ＵＥが、時間及び周波数ドメインの少なくとも一方に関して部分的に又は完全に重複する複数のＰＤＳＣＨを、１つより多いＤＣＩによってスケジュールされる場合であって、以下の条件の少なくとも１つを満たす場合に該当してもよい。
・当該複数のＰＤＳＣＨについて１つのＤＭＲＳポートグループのみが指示される、
・当該複数のＰＤＳＣＨのためのＴＣＩ状態が同じ、又は当該複数のＰＤＳＣＨが特定のＱＣＬ関係（例えば、ＱＣＬ−Ｄ）に該当する。
【００８６】
ＵＥは、ＴＲＰごとのＳＲＩグループを設定されてもよい。例えば、ＵＥは、ＲＲＣシグナリングによって複数のＳＲＩグループを設定され、各ＳＲＩグループにつき１つのＳＲＩがＭＡＣ  ＣＥを用いてアクティベートされてもよい。この場合、ＭＡＣ  ＣＥには、ＳＲＩグループを特定するための情報（例えば、ＳＲＩグループＩＤ）及びＴＲＰを特定するための情報（例えば、ＴＲＰ  ＩＤ）の少なくとも１つが含まれることが好ましい。
【００８７】
一例として、ＵＥは、ＤＭＲＳポートグループ１のためにＳＲＩグループ１を設定され、当該ＳＲＩグループ１に含まれるＳＲＩ（例えば、｛０、１、…、６３｝）から１つをＭＡＣ  ＣＥを用いてアクティベートされてもよい。また、ＵＥは、ＤＭＲＳポートグループ２のためにＳＲＩグループ２を設定され、当該ＳＲＩグループ２に含まれるＳＲＩ（例えば、｛０、１、…、６３｝）から１つをＭＡＣ  ＣＥを用いてアクティベートされてもよい。
【００８８】
なお、１ＴＲＰへの動的なフォールバックの条件が満たされる場合には、ＵＥは、当該１ＴＲＰのＱＣＬについては、特定のＳＲＩグループ（例えば、最小のＳＲＩグループＩＤに対応するＳＲＩグループ、最大のＳＲＩグループＩＤに対応するＳＲＩグループ）を想定してもよい。
【００８９】
ＵＥは、ＴＲＰごとのＳＲＩグループに加えて、ＴＲＰ共通のＳＲＩグループ（ＴＲＰに紐づけられていないＳＲＩグループ、シングルＴＲＰ用のＳＲＩグループなどと呼ばれてもよい）を設定されてもよいし、１つのＳＲＩ（デフォルトのＳＲＩ、フォールバック用ＳＲＩなどと呼ばれてもよい）を設定されてもよい。
【００９０】
なお、１ＴＲＰへの動的なフォールバックの条件が満たされる場合には、ＵＥは、当該１ＴＲＰのＱＣＬについては、当該ＴＲＰ共通のＳＲＩグループを想定してもよいし、当該デフォルトのＳＲＩを想定してもよい。
【００９１】
以上説明した第１の実施形態によれば、セパレートＨＡＲＱ−ＡＣＫの送信を適切に制御できる。
【００９２】
なお、第１の実施形態において、図面ではマルチＰＤＣＣＨの例を示したが、シングルＰＤＣＣＨが用いられてもよい。この場合、シングルＰＤＣＣＨに含まれるＰＵＣＣＨリソースインディケーターフィールドは、マルチＰＤＣＣＨの場合のビット数より増加されてもよい。例えば、マルチＰＤＣＣＨの場合のＰＵＣＣＨリソースインディケーターフィールドが３ビットであれば、シングルＰＤＣＣＨのそれは３ビット×ＴＲＰ数（例えば、６ビット）で表現されてもよい。ＵＥは、３ビットごとに別のＴＲＰのＰＵＣＣＨリソースを指示すると想定してもよい。これにより、シングルＰＤＣＣＨであっても各ビットの部分でそれぞれのＴＲＰのＰＵＣＣＨリソースを指定できる。
【００９３】
＜第２の実施形態＞
第２の実施形態は、ジョイントＨＡＲＱ−ＡＣＫ送信に関する。ジョイントＨＡＲＱ−ＡＣＫに含まれる各ＨＡＲＱ−ＡＣＫは、それぞれ別のＰＤＳＣＨ（コードワード）に対応し、ＰＵＣＣＨ及びＰＵＳＣＨの少なくとも一方を用いて送信されてもよい。ＵＥは、ジョイントＨＡＲＱ−ＡＣＫを、１つのＴＲＰに送信する。
【００９４】
ジョイントＨＡＲＱ−ＡＣＫに対応する複数のＰＤＳＣＨは、各ＴＲＰから同時に送信されてもよいし、異なるタイミングで送信されてもよい。これらのＰＤＳＣＨをスケジュールするのはシングルＰＤＣＣＨであってもよいし、マルチＰＤＣＣＨであってもよい。
【００９５】
図１０は、ジョイントＨＡＲＱ−ＡＣＫの流れの一例を示す図である。本例において、ＵＥは、ＴＲＰ１及び２からそれぞれマルチＰＤＣＣＨを構成するＤＣＩ１及び２を受信する。また、ＵＥは、ＤＣＩ１に基づいて、ＴＲＰ１から送信されるＰＤＳＣＨ１（ＣＷ１）を受信し、ＤＣＩ２に基づいて、ＴＲＰ２から送信されるＰＤＳＣＨ２（ＣＷ２）を受信する。
【００９６】
ＵＥは、ＰＤＳＣＨ１に対するＨＡＲＱ１及びＰＤＳＣＨ２に対するＨＡＲＱ２を含むＨＡＲＱを、ＴＲＰ１に送信する。なお、当該ＨＡＲＱの送信先はＴＲＰ２でもよい。
【００９７】
ＵＥは、ジョイントＨＡＲＱ−ＡＣＫの送信先のＴＲＰは、以下のいずれかの条件又はこれらの条件の組み合わせに該当するＴＲＰであると想定してもよい：
・ＮＣＪＴされる複数のＰＤＳＣＨ又はこれらをスケジュールするＤＣＩが送信されたＴＲＰのうち、特定のＴＲＰ（例えば、最小のＴＲＰ  ＩＤのＴＲＰ、最大のＴＲＰ  ＩＤのＴＲＰ）、
・あるＤＣＩによって指示されるＴＲＰ、
・ＮＣＪＴされる複数のＰＤＳＣＨをスケジュールするＤＣＩのうち、特定のタイミング（例えば、最先、最後）のＤＣＩに対応するＴＲＰ、
・ＮＣＪＴされる複数のＰＤＳＣＨをスケジュールするＤＣＩのうち、Ｒｅｌ−１５  ＮＲと同様にインデックスされ決定される最後（last）のＤＣＩに対応するＴＲＰ。
【００９８】
ジョイントＨＡＲＱ−ＡＣＫは、１つのスロットにおいて（つまり、スロットごとに１つのＰＵＣＣＨ／ＰＵＳＣＨを用いて）送信されてもよい。
【００９９】
図１１は、シングルＰＤＣＣＨについてのジョイントＨＡＲＱ−ＡＣＫのＰＵＣＣＨリソースの一例を示す図である。本例は、図５と類似しており、同様の内容の説明は繰り返さない。本例は、ＤＣＩ２がなく、ＤＣＩ１によってＰＤＳＣＨ１及び２がスケジュールされる点が図５と異なる。
【０１００】
この場合、上述のＲｅｌ−１５  ＮＲと同じ方法で、ＰＵＣＣＨリソースを決定してもよい。本例では、ＵＥは、ＰＵＣＣＨリソースを決定するためのＤＣＩとしてＤＣＩ１を選択し、ＤＣＩ１の所定のフィールド（＝０００）及び図１１の右のテーブル（ＴＲＰ共通のテーブル）に基づいて、リソース１３を用いてＨＡＲＱ（ＨＡＲＱ１及びＨＡＲＱ２）を送信してもよい。
【０１０１】
図１２は、マルチＰＤＣＣＨについてのジョイントＨＡＲＱ−ＡＣＫのＰＵＣＣＨリソースの一例を示す図である。本例は、図１１と類似しており、同様の内容の説明は繰り返さない。本例は、ＤＣＩ２があり、ＤＣＩ１によってＰＤＳＣＨ１が、ＤＣＩ２によってＰＤＳＣＨ２がスケジュールされる点が図１１と異なる。
【０１０２】
本例では、上述のＲｅｌ−１５  ＮＲと同じ方法で（例えば、ＤＣＩ１及び２のうち最後の（last）ＤＣＩを選択して）、ＰＵＣＣＨリソースを決定してもよい。本例では、ＵＥは、ＰＵＣＣＨリソースを決定するためのＤＣＩとしてＤＣＩ２を選択し、ＴＲＰ１において、ＤＣＩ２の所定のフィールド（＝０１０）及び図１２の右のテーブル（ＴＲＰ共通のテーブル）に基づいて、ＨＡＲＱ（ＨＡＲＱ１及びＨＡＲＱ２）を送信してもよい。
【０１０３】
マルチＰＤＣＣＨの場合、ＴＲＰ  ＩＤのより小さいＴＲＰにおいて受信したＤＣＩの中から、上述したＲｅｌ．１５  ＮＲの方法を用いて決定したＤＣＩに基づいて、ＰＵＣＣＨリソースの決定をしてもよい。ＴＲＰ間のバックホール遅延が比較的大きい場合、一方のＴＲＰへのＰＵＣＣＨリソースの決定を、他方のＴＲＰのＤＣＩ（例えば、当該ＤＣＩに含まれるＡＲＩ、当該ＤＣＩのＣＣＥインデックスなど）を用いて制御するのは難しい場合がある。このため、常に特定のＴＲＰ（例えば、最小のＴＲＰ  ＩＤのＴＲＰ）のＤＣＩを用いて当該特定のＴＲＰのＰＵＣＣＨリソースの決定をすると制御が容易になる。
【０１０４】
図１３は、マルチＰＤＣＣＨについてのジョイントＨＡＲＱ−ＡＣＫのＰＵＣＣＨリソースの一例を示す図である。本例は、図１２と類似しており、同様の内容の説明は繰り返さない。本例は、ＴＲＰ１のＰＵＣＣＨリソースの決定に、ＤＣＩ２ではなく、ＴＲＰ１のＤＣＩのうちの最後のＤＣＩであるＤＣＩ１を用いる点が図１２と異なる。
【０１０５】
本例では、ＵＥは、ＰＵＣＣＨリソースを決定するためのＤＣＩとしてＤＣＩ１を選択し、最小のＴＲＰ  ＩＤに対応するＴＲＰ１において、ＤＣＩ２の所定のフィールド（＝０００）及び図１３の右のテーブル（ＴＲＰ共通のテーブル）に基づいて、ＨＡＲＱ（ＨＡＲＱ１及びＨＡＲＱ２）を送信してもよい。
【０１０６】
以上説明した第２の実施形態によれば、ジョイントＨＡＲＱ−ＡＣＫの送信を適切に制御できる。
【０１０７】
＜第３の実施形態＞
ＵＥは、ＴＲＰごとにＨＡＲＱ−ＡＣＫを独立した（又は異なる）ＨＡＲＱ−ＡＣＫコードブック（以下、ＨＡＲＱコードブックとも呼ぶ）で送信してもよい。この場合、低オーバヘッドでＨＡＲＱ−ＡＣＫフィードバックが可能である。
【０１０８】
一方で、マルチＰＤＣＣＨのうち一方のＤＣＩをミスしたときに、ＨＡＲＱ−ＡＣＫのビット数がＮＷとＵＥで合わなくなることを抑制するためには、各ＴＲＰのＨＡＲＱ−ＡＣＫを共通のＨＡＲＱコードブックを用いて送信することが好ましい。以下、第３の実施形態では、共通のＨＡＲＱコードブックについて説明する。
【０１０９】
＜準静的なＨＡＲＱコードブック＞
まず、準静的なＨＡＲＱコードブック（Ｔｙｐｅ−１  ＨＡＲＱ−ＡＣＫコードブックと呼ばれてもよい）の例を説明する。図１４Ａ及び１４Ｂは、準静的なＨＡＲＱコードブックの一例を示す図である。本例は、ＵＥが、第１のＴＲＰ（ＴＲＰ１）に第１のビット数（例えば、２ビット）のＨＡＲＱ−ＡＣＫを、第２のＴＲＰ（ＴＲＰ１）に第２のビット数（例えば、２ビット）のＨＡＲＱ−ＡＣＫをフィードバックすべきケースに該当する。
【０１１０】
図１４Ａに示すように、ジョイントＨＡＲＱ−ＡＣＫ送信の場合、ＵＥは、ＴＲＰ１又はＴＲＰ２に対して、第１のビット数＋第２のビット数（例えば、２＋２＝４ビット）のＨＡＲＱ−ＡＣＫを送信してもよい。
【０１１１】
図１４Ｂに示すように、セパレートＨＡＲＱ−ＡＣＫ送信の場合、ＵＥは、ＴＲＰ１に対して、第１のビット数＋第２のビット数（例えば、２＋２＝４ビット）の第１のＨＡＲＱ−ＡＣＫを送信し、ＴＲＰ２に対して、第１のＨＡＲＱ−ＡＣＫと同じ内容の第２のＨＡＲＱ−ＡＣＫを送信してもよい。
【０１１２】
＜動的ＨＡＲＱコードブック＞
次に、動的なＨＡＲＱコードブック（Ｔｙｐｅ−２  ＨＡＲＱ−ＡＣＫコードブックと呼ばれてもよい）の例を説明する。マルチＰＤＳＣＨの各ＰＤＳＣＨをスケジュールする１つ又は複数のＤＣＩは、ＴＲＰ方向のＤＬ割当てインデックス（Downlink  Assignment  Index（Indicator）（ＤＡＩ））を含んでもよい。当該ＤＡＩは、ＤＬ  ＤＡＩ（Downlink  DAI）と呼ばれてもよい。ここで、当該ＤＡＩは、カウンタＤＡＩ（counter  DAI）及びトータルＤＡＩ（total  DAI）の少なくとも一方を含んでもよい。
【０１１３】
カウンタＤＡＩは、所定期間内でスケジューリングされる下り送信（例えば、ＰＤＳＣＨ、データ、トランスポートブロックの少なくとも１つ）のカウンタ値を示してもよい。例えば、当該所定期間内にＰＤＳＣＨをスケジューリングするＤＣＩ内のカウンタＤＡＩは、当該所定期間内で少なくともＴＲＰ領域（例えば、ＴＲＰ  ＩＤ順）でカウントされた数を示してもよい。
【０１１４】
トータルＤＡＩは、所定期間内でスケジューリングされる下り送信の合計値（総数）を示してもよい。例えば、当該所定期間内の所定の時間ユニット（例えば、ＰＤＣＣＨモニタリング機会）でＰＤＳＣＨをスケジューリングするＤＣＩ内のトータルＤＡＩは、当該所定期間内で当該所定の時間ユニット（ポイント、タイミング等ともいう）までにスケジューリングされた全てのＴＲＰのＰＤＳＣＨの総数を示してもよい。
【０１１５】
ここで、本開示において、ＤＡＩに関する上記所定期間は、１又は複数のシンボル、１又は複数のスロットなどであってもよい。また、本開示において、所定期間内でスケジューリングされる下り送信は、マルチＰＤＳＣＨと互いに読み替えられてもよい。
【０１１６】
ＵＥは、複数のＴＲＰから送信された複数のＤＣＩのうち、一部がミスした（受信できなかった）場合、当該複数のＤＣＩのうち一部を受信できなかったことを認識できる。
【０１１７】
マルチＰＤＳＣＨの各ＰＤＳＣＨをスケジュールするＤＣＩがカウンタＤＡＩ及びトータルＤＡＩの少なくとも一方を含む場合、ＵＥは、当該マルチＰＤＳＣＨを送信する各ＴＲＰ間が密に連携している、又は非理想的バックホール（non  ideal  backhaul）を用いて接続されていると想定してもよい。ＴＲＰ方向のＤＡＩを発行するには、一方のＴＲＰが他方のＴＲＰのＤＣＩを把握することが好ましいためである。
【０１１８】
ＵＥは、ジョイント又はセパレートＨＡＲＱ−ＡＣＫを送信するＰＵＣＣＨ又はＰＵＳＣＨに関連して、ＵＬ  ＤＡＩ（Uplink  DAI）をネットワークに送信してもよい。ＵＬ  ＤＡＩは、上述のＤＬ  ＤＡＩを受信しない場合に送信されてもよいし、受信する場合に送信されてもよい。
【０１１９】
ここで、当該ＵＬ  ＤＡＩは、ＵＥが検出したＤＣＩであって、所定期間内の下り送信をスケジュールするＤＣＩの数に関する情報（例えば、当該ＤＣＩの検出数）であってもよい。当該情報は、このＤＣＩの数の値であってもよいし、当該ＤＣＩの数とネットワークから通知されたトータルＤＡＩの値とが一致するか否かに関する情報（１ビットの情報で表現されてもよい）であってもよい。
【０１２０】
ここで、トータルＤＡＩの値は、上位レイヤシグナリング、物理レイヤシグナリング（例えば、当該所定の期間内のマルチＰＤＳＣＨの少なくとも１つをスケジュールするＤＣＩ）又はこれらの組み合わせを用いてＵＥに通知されてもよい。
【０１２１】
上記ＵＬ  ＤＡＩは、以下の少なくとも１つを用いて明示的又は暗示的に送信されてもよい：
（１）ＰＵＣＣＨ／ＰＵＳＣＨのＵＣＩビットの一部、
（２）ＰＵＣＣＨ／ＰＵＳＣＨのＤＭＲＳの変調信号の少なくとも一部、
（３）ＰＵＣＣＨ／ＰＵＳＣＨのＤＭＲＳの少なくとも一部又は全部の送信に利用される系列、
（４）ＰＵＣＣＨ／ＰＵＳＣＨのＤＭＲＳ又はＵＣＩの少なくとも一部又は全部の送信に利用されるリソース（例えば、物理リソース）。
【０１２２】
例えば、上記（１）の場合、ＵＥは、ジョイント又はセパレートＨＡＲＱ−ＡＣＫを送信するＰＵＣＣＨ／ＰＵＳＣＨに、ＵＬ  ＤＡＩに該当するビット（例えば１ビット）を含めて送信してもよい。
【０１２３】
上記（２）の場合、ＵＥは、ジョイント又はセパレートＨＡＲＱ−ＡＣＫを送信するＰＵＣＣＨ／ＰＵＳＣＨのＤＭＲＳのリソース（例えば、リソースエレメント（Resource  Element（ＲＥ））、物理リソースブロック（Physical  Resource  Block（ＰＲＢ）））のうち少なくとも一部に、ＵＬ  ＤＡＩに該当するビット（例えば１ビット）を変調（例えばBinary  Phase  Shift  Keying（ＢＰＳＫ）変調、Quadrature  Phase  Shift  Keying（ＱＰＳＫ）変調）して送信してもよい。
【０１２４】
上記（３）の場合、ＵＥは、ジョイント又はセパレートＨＡＲＱ−ＡＣＫを送信するＰＵＣＣＨ／ＰＵＳＣＨのＤＭＲＳのリソースにおいて、第１の系列を送信することで第１の値のＵＬ  ＤＡＩを暗示的に送信してもよいし、当該第１の系列と異なる第２の系列を送信することで第２の値のＵＬ  ＤＡＩを暗示的に送信してもよい。
【０１２５】
ここで、第２の系列は、第１の系列の巡回シフト（Cyclic  Shift（ＣＳ））、系列インデックス、直交符号（Orthogonal  Cover  Code（ＯＣＣ））の少なくとも１つに所定のオフセットを演算（例えば、加算、減算、乗算、除算）して生成した系列であってもよい。第２の系列は、第１の系列のＣＳインデックスを＋６して生成したＤＭＲＳ系列であってもよい。
【０１２６】
上記（４）の場合、ＵＥは、ジョイント又はセパレートＨＡＲＱ−ＡＣＫを送信するＰＵＣＣＨ／ＰＵＳＣＨのリソースとして、ネットワークから指示されたリソースを用いることで第１の値のＵＬ  ＤＡＩを暗示的に送信してもよいし、当該指示されたリソースから所定のオフセットを適用したリソースを用いることで第２の値のＵＬ  ＤＡＩを暗示的に送信してもよい。
【０１２７】
上記（３）、（４）などにおける所定のオフセットは、上位レイヤシグナリング、物理レイヤシグナリング（例えば、当該所定の期間内のマルチＰＤＳＣＨの少なくとも１つをスケジュールするＤＣＩ）又はこれらの組み合わせを用いてＵＥに通知されてもよい。
【０１２８】
以上説明した第３の実施形態によれば、マルチＰＤＳＣＨをスケジュールするＤＣＩの一部がＵＥにおいて受信されない場合であっても、当該マルチＰＤＳＣＨに対するＨＡＲＱ−ＡＣＫのビット数の認識をネットワークとＵＥの間で好適に一致させることができる。
【０１２９】
＜その他の実施形態＞
ＵＥがマルチＰＤＳＣＨに対して適用するＨＡＲＱ−ＡＣＫ送信のタイプ（セパレートＨＡＲＱ−ＡＣＫ送信を用いるかジョイントＨＡＲＱ−ＡＣＫ送信を行うか）は、以下の少なくとも１つに基づいて決定されてもよい：
・上位レイヤシグナリングによって設定（例えば、ＵＥは、ジョイントＨＡＲＱ−ＡＣＫ送信が設定されない場合には、セパレートＨＡＲＱ−ＡＣＫ送信を用いると想定してもよい）、
・ＤＣＩによって動的に指定（例えば、新たなビットフィールド又は既存のビットフィールドを用いて、利用するＨＡＲＱ−ＡＣＫ送信のタイプを指定してもよい）、
・マルチＰＤＳＣＨそれぞれに対する複数のＨＡＲＱ−ＡＣＫのＰＵＣＣＨリソースによって決定（例えば、これらのＰＵＣＣＨリソースが時間／周波数ドメインで重複しない場合、セパレートＨＡＲＱ−ＡＣＫ送信を行い、そうでない（つまり、部分的又は完全に重複する）場合、ジョイントＨＡＲＱ−ＡＣＫ送信を行うと判断してもよい）。
【０１３０】
図１５Ａ−１５Ｄは、ＰＵＣＣＨリソースに基づくＨＡＲＱ−ＡＣＫ送信のタイプの決定の一例を示す図である。図１５Ａ及び１５Ｂは、セパレートＨＡＲＱ−ＡＣＫ送信を用いると決定される例であり、図１５Ｃ及び１５Ｄは、ジョイントＨＡＲＱ−ＡＣＫ送信を用いると決定される例である。
【０１３１】
図１５Ａは、ＨＡＲＱ１及びＨＡＲＱ２の時間リソースが全く重複していない。この場合、ＵＥは各ＨＡＲＱのリソースでそれぞれセパレートＨＡＲＱ−ＡＣＫを送信してもよい。
【０１３２】
図１５Ｂは、ＨＡＲＱ１及びＨＡＲＱ２の時間リソースが重複している（ＨＡＲＱ１がＨＡＲＱ２の時間リソースに完全に含まれる）。ＵＥは、ＰＵＣＣＨ−ＰＵＣＣＨ同時送信が可能な場合には、各ＨＡＲＱのリソースでそれぞれセパレートＨＡＲＱ−ＡＣＫを送信してもよく、そうでない場合、一方のリソース（例えば、より大きいＨＡＲＱ２のリソース）を用いてセパレートＨＡＲＱ−ＡＣＫを送信し、他方のリソース（例えば、ＨＡＲＱ１のリソース）はドロップしてもよい。
【０１３３】
図１５Ｃは、ＨＡＲＱ１及びＨＡＲＱ２の時間リソースが完全に同じである。この場合、ＵＥはいずれかのＨＡＲＱのリソースでジョイントＨＡＲＱ−ＡＣＫを送信してもよい。
【０１３４】
図１５Ｄは、ＨＡＲＱ１及びＨＡＲＱ２の時間リソースの開始シンボルが一致している。この場合、ＵＥはいずれかのＨＡＲＱのリソースでジョイントＨＡＲＱ−ＡＣＫを送信してもよい。
【０１３５】
本開示において、ＵＣＩ（ＨＡＲＱ−ＡＣＫ）を、ＰＵＣＣＨを用いて送信する例を主に説明しているが、これに限られない。本開示の内容は、ＵＣＩを、ＰＵＳＣＨを用いて送信する場合（UCI  on  PUSCH）にも適用できる。当該ＰＵＳＣＨはＤＣＩによってスケジュールされるＰＵＳＣＨであってもよいし、コンフィギュアドグラントＰＵＳＣＨであってもよい。ＰＵＣＣＨの空間関係情報は、ＰＵＳＣＨについては測定用参照信号（Sounding  Reference  Signal（ＳＲＳ））の空間関係情報で読み替えることができる。
【０１３６】
また、本開示におけるマルチＰＵＣＣＨは、時分割多重（Time  Division  Multiplexing（ＴＤＭ））、周波数分割多重（Frequency  Division  Multiplexing（ＦＤＭ））及び空間分割多重（Space  Division  Multiplexing（ＳＤＭ））のいずれか又はこれらの組み合わせが適用されると想定されてもよい。
【０１３７】
また、本開示のＨＡＲＱ−ＡＣＫは、任意のＵＣＩで読み替えられてもよい。この場合、ＰＵＣＣＨリソースはＲＲＣシグナリングによって設定されてもよい。例えば、ＵＥは、ＣＳＩ報告用のＰＵＣＣＨリソースとして、ＲＲＣで設定されるリソースを用いてもよい。
【０１３８】
なお、本開示において、ＤＣＩがどのＴＲＰをスケジュールするかは、ＤＣＩビットフィールドによって明示的に指定されてもよい。また、あらかじめＴＲＰに対応したＣＯＲＥＳＥＴ、サーチスペースセット、ＱＣＬ、ＴＣＩ状態などの少なくとも１つが設定される場合には、ＵＥは、ＤＣＩがどのＴＲＰをスケジュールするかは、当該ＤＣＩを検出したＣＯＲＥＳＥＴ、サーチスペースセット、ＱＣＬ、ＴＣＩ状態などの少なくとも１つに基づいて判断してもよい。
【０１３９】
なお、図４など複数の図面において、複数のＤＣＩ（ＤＣＩ１、２）がそれぞれ異なるシンボルで検出される例を示したが、当該複数のＤＣＩは同じシンボルにおいて検出されてもよい。ＵＥは、ＱＣＬの異なる複数のＤＣＩを同じシンボルにおいて検出できる能力（UE  capability）を有する場合（又は当該能力をサポートする旨を報告した場合）に、当該複数のＤＣＩを同じシンボルにおいて検出してもよい。
【０１４０】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１４１】
図１６は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１４２】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１４３】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１４４】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１４５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１４６】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１４７】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１４８】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１４９】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１５０】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１５１】
ユーザ端末２０は、ＬＴＥ、ＬＴＥ−Ａ、５Ｇなどの通信方式の少なくとも１つに対応した端末であってもよい。
【０１５２】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１５３】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１５４】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１５５】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１５６】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１５７】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１５８】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１５９】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１６０】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１６１】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１６２】
なお、本開示において下りリンク、上りリンクなどは「リンク」を付けずに表現されてもよい。また、各種チャネルの先頭に「物理（Physical）」を付けずに表現されてもよい。
【０１６３】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１６４】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１６５】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１６６】
（基地局）
図１７は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１６７】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１６８】
制御部１１０は、基地局１０全体の制御を実施する。制御部１１０は、本開示に係る技術分野での共通認識に基づいて説明されるコントローラ、制御回路などから構成することができる。
【０１６９】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１７０】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１７１】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１７２】
送受信アンテナ１３０は、本開示に係る技術分野での共通認識に基づいて説明されるアンテナ、例えばアレイアンテナなどから構成することができる。
【０１７３】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１７４】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１７５】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１７６】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１７７】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１７８】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１７９】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１８０】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１８１】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１８２】
なお、本開示における基地局１０の送信部及び受信部は、送受信部１２０、送受信アンテナ１３０及び伝送路インターフェース１４０の少なくとも１つによって構成されてもよい。
【０１８３】
なお、送受信部１２０は、ユーザ端末２０に対して、ＰＤＳＣＨを送信してもよい。制御部１１０は、当該ＰＤＳＣＨを、他の基地局１０から送信されるＰＤＳＣＨと時間及び周波数リソースの少なくとも一方が重複するように制御してもよい。
【０１８４】
（ユーザ端末）
図１８は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１８５】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１８６】
制御部２１０は、ユーザ端末２０全体の制御を実施する。制御部２１０は、本開示に係る技術分野での共通認識に基づいて説明されるコントローラ、制御回路などから構成することができる。
【０１８７】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１８８】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１８９】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１９０】
送受信アンテナ２３０は、本開示に係る技術分野での共通認識に基づいて説明されるアンテナ、例えばアレイアンテナなどから構成することができる。
【０１９１】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１９２】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１９３】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１９４】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１９５】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１９６】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１９７】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１９８】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１９９】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２００】
なお、本開示におけるユーザ端末２０の送信部及び受信部は、送受信部２２０及び送受信アンテナ２３０の少なくとも１つによって構成されてもよい。
【０２０１】
なお、送受信部２２０は、第１の送受信ポイント（Transmission/Reception  Point（ＴＲＰ））からの第１のＰＤＳＣＨ（Physical  Downlink  Shared  Channel）と、前記第１のＰＤＳＣＨと時間及び周波数リソースの少なくとも一方が重複する第２のＴＲＰからの第２のＰＤＳＣＨと、を受信してもよい。つまり、送受信部２２０は、マルチＰＤＳＣＨを受信してもよい。
【０２０２】
制御部２１０は、前記第１のＰＤＳＣＨに対する第１のHybrid  Automatic  Repeat  reQuest  ACKnowledgement（ＨＡＲＱ−ＡＣＫ）を前記第１のＴＲＰに送信し、前記第２のＰＤＳＣＨに対する第２のＨＡＲＱ−ＡＣＫを前記第２のＴＲＰに送信する制御を行ってもよい。
【０２０３】
制御部２１０は、前記第１のＨＡＲＱ−ＡＣＫを送信するリソースを、前記第１のＴＲＰのためのリソースセットのグループに基づいて決定し、前記第２のＨＡＲＱ−ＡＣＫを送信するリソースを、前記第２のＴＲＰのためのリソースセットのグループに基づいて決定してもよい。
【０２０４】
制御部２１０は、前記第１のＨＡＲＱ−ＡＣＫを送信するリソース及び前記第２のＨＡＲＱ−ＡＣＫを送信するリソースの両方を、共通のリソースセットのグループに基づいて決定してもよい。
【０２０５】
制御部２１０は、第１のＩＤのPhysical  Uplink  Control  Channel（ＰＵＣＣＨ）の空間関係情報及び前記第１のＩＤより大きい値を有する第２のＩＤのＰＵＣＣＨの空間関係情報がアクティベートされる場合、前記第２のＴＲＰのＩＤが前記第１のＴＲＰのＩＤより大きければ、前記第１のＩＤのＰＵＣＣＨの空間関係情報に基づいて前記第１のＨＡＲＱ−ＡＣＫを送信し、前記第２のＴＲＰのＩＤが前記第１のＴＲＰのＩＤ以下であれば、前記第２のＩＤのＰＵＣＣＨの空間関係情報に基づいて前記第１のＨＡＲＱ−ＡＣＫを送信する制御を行ってもよい。
【０２０６】
制御部２１０は、前記第１のＴＲＰ用の空間関係情報と、前記第２のＴＲＰ用の空間関係情報と、がそれぞれ個別にアクティベートされると想定してもよい（例えば、ＴＲＰごとのＳＲＩグループを設定される場合）。
【０２０７】
制御部２１０は、前記第１のＰＤＳＣＨに対する第１のＨＡＲＱ−ＡＣＫ及び前記第２のＰＤＳＣＨに対する第２のＨＡＲＱ−ＡＣＫの両方を、前記第１のＴＲＰ及び前記第２のＴＲＰのうち一方（例えば、一方のみ）に送信する制御を行ってもよい。
【０２０８】
制御部２１０は、前記第１のＨＡＲＱ−ＡＣＫ及び前記第２のＨＡＲＱ−ＡＣＫを送信するＴＲＰが、前記第１のＴＲＰのＩＤ及び前記第２のＴＲＰのＩＤが小さい方のＴＲＰであると決定してもよい。
【０２０９】
制御部２１０は、前記第１のＰＤＳＣＨに対する第１のＨＡＲＱ−ＡＣＫ及び前記第２のＰＤＳＣＨに対する第２のＨＡＲＱ−ＡＣＫの送信のために、共通のコードブックを利用する制御を行ってもよい。
【０２１０】
前記第１のＰＤＳＣＨ及び前記第２のＰＤＳＣＨをスケジュールする１つ以上の下り制御情報は、ＴＲＰ方向のＤＬ割当てインデックス（Downlink  Assignment  Index（Indicator）（ＤＡＩ））を含んでもよい。制御部２１０は、当該ＴＲＰ方向のＤＡＩに基づいて、前記第１のＴＲＰ及び前記第２のＴＲＰから送信された前記１つ以上の下り制御情報のうち、一部が受信できなかったか否か（全ての受信に成功したか否か）を判断してもよい。
【０２１１】
制御部２１０は、前記第１のＨＡＲＱ−ＡＣＫ及び前記第２のＨＡＲＱ−ＡＣＫの送信とともに上りリンクＤＬ割当てインデックス（Uplink  Downlink  Assignment  Index（ＵＬ  ＤＡＩ））を明示的又は暗示的に送信する制御を行い、ここで、当該ＵＬ  ＤＡＩは、所定期間内のＰＤＳＣＨをスケジュールする下り制御情報（ＤＣＩ）の検出数に関する情報に該当してもよい。
【０２１２】
制御部２１０は、前記ＵＬ  ＤＡＩに基づいて、所定のＤＭＲＳ（例えば、ＰＵＣＣＨ又はＰＵＳＣＨのＤＭＲＳ）の少なくとも一部を生成してもよいし、当該ＤＭＲＳの系列、リソースなどの少なくとも１つを決定してもよい。
【０２１３】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２１４】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２１５】
例えば、本開示の一実施形態における基地局、ユーザ端末などは、本開示の無線通信方法の処理を行うコンピュータとして機能してもよい。図１９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２１６】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２１７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２１８】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２１９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０２２０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２２１】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２２２】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２２３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２２４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０２２５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２２６】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２２７】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０２２８】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２２９】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２３０】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０２３１】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２３２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２３３】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２３４】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２３５】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２３６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２３７】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２３８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３９】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２４０】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２４１】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０２４２】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０２４３】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２４４】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２４５】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２４６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２４７】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２４８】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２４９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２５０】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２５１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２５２】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２５３】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２５４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２５５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２５６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２５７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２５８】
本開示において使用する「システム」及び「ネットワーク」という用語は、互換的に使用され得る。「ネットワーク」は、ネットワークに含まれる装置（例えば、基地局）のことを意味してもよい。
【０２５９】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２６０】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２６１】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２６２】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２６３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２６４】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２６５】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２６６】
同様に、本開示におけるユーザ端末は、基地局で読み替えてもよい。この場合、上述のユーザ端末２０が有する機能を基地局１０が有する構成としてもよい。
【０２６７】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２６８】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２６９】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２７０】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２７１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２７２】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２７３】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２７４】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２７５】
また、「判断（決定）」は、「想定する（assuming）」、「期待する（expecting）」、「みなす（considering）」などで読み替えられてもよい。
【０２７６】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２７７】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２７８】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２７９】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２８０】
本開示において、例えば、英語でのa,  an及びtheのように、翻訳によって冠詞が追加された場合、本開示は、これらの冠詞の後に続く名詞が複数形であることを含んでもよい。
【０２８１】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020166025.tif 000003
【図２】
2020166025.tif 000004
【図３】
2020166025.tif 000005
【図４】
2020166025.tif 000006
【図５】
2020166025.tif 000007
【図６】
2020166025.tif 000008
【図７】
2020166025.tif 000009
【図８】
2020166025.tif 000010
【図９】
2020166025.tif 000011
【図１０】
2020166025.tif 000012
【図１１】
2020166025.tif 000013
【図１２】
2020166025.tif 000014
【図１３】
2020166025.tif 000015
【図１４】
2020166025.tif 000016
【図１５】
2020166025.tif 000017
【図１６】
2020166025.tif 000018
【図１７】
2020166025.tif 000019
【図１８】
2020166025.tif 000020
【図１９】
2020166025.tif 000021
【国際調査報告】
2020166025.tif 000022
2020166025.tif 000023
2020166025.tif 000024
2020166025.tif 000025